(57)【特許請求の範囲】
【請求項１】
光ディスク記録装置のバッファメモリにデータを蓄積するとともに該蓄積したデータを光ディスクに記録し、記録中に前記蓄積したデータが所定量以下になったときは記録を一時停止して前記バッファメモリにデータを蓄積する光ディスク記録方法において、
前記一時停止の発生頻度を検出する発生頻度検出ステップと、
前記検出した一時停止の発生頻度に基づいてデータの記録速度を下げる記録速度減速ステップとを有し、
前記発生頻度検出ステップは、前記一時停止の前記光ディスク上における発生位置間隔を検出し、前記記録速度減速ステップは、前記検出した発生位置間隔が所定の間隔よりも短くなる度に前記データの記録速度を下げることを特徴とする光ディスク記録方法。
【請求項２】
前記発生頻度検出ステップは、前記一時停止の発生回数及び前記一時停止の前記光ディスク上における発生位置間隔を検出し、前記記録速度減速ステップは、前記検出した一時停止の発生回数が所定の回数を超えた場合及び前記検出した発生位置間隔が所定の間隔よりも短くなった場合の何れかの場合が起こる度に前記データの記録速度を下げることを特徴とする請求項１記載の光ディスク記録方法。
【請求項３】
前記発生頻度検出ステップは、前記一時停止の発生回数及び前記一時停止の前記光ディスク上における発生位置間隔を検出し、前記記録速度減速ステップは、前記検出した発生回数が所定の回数を超えるとともに前記検出した発生位置間隔が所定の間隔よりも短くなる度に前記データの記録速度を下げることを特徴とする請求項１記載の光ディスク記録方法。
【請求項４】
前記発生頻度検出ステップは、前記一時停止の発生回数及び前記一時停止の前記光ディスク上における発生位置間隔を検出し、前記記録速度減速ステップは、前記検出した発生位置間隔が所定の間隔よりも短い場合の数が規定数を超える度にデータの記録速度を下げることを特徴とする請求項１記載の光ディスク記録方法。
【請求項５】
前記発生位置間隔は、前記光ディスク上における前回の一時停止発生位置から今回の一時停止発生位置までの経過時間であることを特徴とする請求項１乃至４のいずれか１項に記載の光ディスク記録方法。
【請求項６】
前記所定の間隔は、前記経過時間及び現在の前記データの記録速度に基づいて算出されることを特徴とする請求項５記載の光ディスク記録方法。
【請求項７】
光ディスク記録装置のバッファメモリにデータを蓄積するとともに蓄積したデータを光ディスクに記録する光ディスク記録装置において、請求項１乃至６の何れか１項に記載の光ディスク記録方法を実行するように制御する制御部を備えたことを特徴とする光ディスク記録装置。
【発明の詳細な説明】
【０００１】
【発明の属する技術分野】
本発明は、光ディスクにデータを記録する際に効率良く短時間にデータを記録できる光ディスク記録方法及び装置に関する。
【０００２】
【従来の技術】
従来、パーソナルコンピュータ（以下、ＰＣ）内に格納されたデータを光ディスク記録装置によって光ディスクに記録する際に、ＰＣから転送されてくるデータを光ディスク記録装置のバッファメモリに一旦格納してから光ディスクに連続的に記録していた。ところが、データ転送中にＰＣで他のアプリケーションが起動されたときなどにはデータ転送速度の低下が起こる。データ転送速度が光ディスク記録装置の記録速度よりも低下すると、バッファメモリ内に格納されたデータ量が減少してバッファメモリ内にデータが無くなってしまうことがあった。
【０００３】
光ディスク記録装置は記録を中断できないので、バッファメモリ内のデータが空になってしまうと記録を続行できず、Buffer Under Run Errorと呼ばれるエラーが発生し、記録が異常終了する。このように正常な記録が行われなかった光ディスクは再生できないことが多く、また、一般に記録のやり直しができないことから、光ディスクは無駄になってしまう。
【０００４】
そこで、バッファメモリ内のデータ蓄積量を監視し、データ蓄積量が規定量を下回った場合、即ち、このまま記録を続けるとBuffer Under Run Errorが発生すると予測される場合には、データの記録を中断し、バッファメモリ内にデータが十分に蓄積されるのを待ってから、記録を停止した部分の直後から記録を再開（書き継ぎ）してBuffer Under Run Errorの発生を防止する技術が実現化されている。このBuffer Under Run Error防止機能によれば無駄になる光ディスクを著しく減少させることができる。
【０００５】
【発明が解決しようとする課題】
しかしながら、Buffer Under Run Error防止機能の動作中には、データがバッファメモリに蓄積するまでの待ち時間や書き継ぎの際の調整・準備時間がある。このため、Buffer Under Run Error防止機能の動作発生回数が多いと、図６に実線Ａで示すようにデータの総記録時間が長くなる。
【０００６】
図６は、従来の光ディスク記録方法による記録時間と光ディスクに記録されるデータ量とを示す図である。
【０００７】
図６において、実線Ａは、Buffer Under Run Error防止機能を備える従来の光ディスク記録装置による所定量のデータの記録時間と光ディスクに記録されるデータ量とを示している。一点鎖線Ｂは、同一の光ディスク記録装置において、Buffer Under Run Error防止機能の動作が発生しなかった場合の所定量のデータの記録時間と光ディスクに記録されるデータ量とを示している。また、破線は所定量を示している。云うまでもなく、Buffer Under Run Error防止機能の動作時間Ｃは光ディスクにデータが記録されない。従って、図示したようにBuffer Under Run Error防止機能の動作の発生が頻繁に起こる場合は、Buffer Under Run Error防止機能の動作が発生しない場合に比べて所定量のデータを光ディスクに記録し終わるまでにかかる総記録時間が明らかに長くなっている。
【０００８】
本発明の目的は、Buffer Under Run Errorを防止しつつデータの総記録時間が短縮できる光ディスク記録方法及び装置を提供することにある。
【０００９】
【課題を解決するための手段】
上記目的を達成するために、請求項１記載の光ディスク記録方法は、光ディスク記録装置のバッファメモリにデータを蓄積するとともに該蓄積したデータを光ディスクに記録し、記録中に前記蓄積したデータが所定量以下になったときは記録を一時停止して前記バッファメモリにデータを蓄積する光ディスク記録方法において、前記一時停止の発生頻度を検出する発生頻度検出ステップと、前記検出した一時停止の発生頻度に基づいてデータの記録速度を下げる記録速度減速ステップとを有し、前記発生頻度検出ステップは、前記一時停止の前記光ディスク上における発生位置間隔を検出し、前記記録速度減速ステップは、前記検出した発生位置間隔が所定の間隔よりも短くなる度に前記データの記録速度を下げることを特徴とする。
【００１０】
請求項２記載の光ディスク記録方法は、請求項１記載の光ディスク記録方法において、前記発生頻度検出ステップは、前記一時停止の発生回数及び前記一時停止の前記光ディスク上における発生位置間隔を検出し、前記記録速度減速ステップは、前記検出した一時停止の発生回数が所定の回数を超えた場合及び前記検出した発生位置間隔が所定の間隔よりも短くなった場合の何れかの場合が起こる度に前記データの記録速度を下げることを特徴とする。
【００１１】
請求項３記載の光ディスク記録方法は、請求項１記載の光ディスク記録方法において、前記一時停止の発生回数及び前記一時停止の前記光ディスク上における発生位置間隔を検出し、前記記録速度減速ステップは、前記検出した発生回数が所定の回数を超えるとともに前記検出した発生位置間隔が所定の間隔よりも短くなる度に前記データの記録速度を下げることを特徴とする。
【００１２】
請求項４記載の光ディスク記録方法は、請求項１記載の光ディスク記録方法において、前記発生頻度検出ステップは、前記一時停止の発生回数及び前記一時停止の前記光ディスク上における発生位置間隔を検出し、前記記録速度減速ステップは、前記検出した発生位置間隔が所定の間隔よりも短い場合の数が規定数を超える度に前記データの記録速度を下げることを特徴とする。
【００１３】
請求項５記載の光ディスク記録方法は、請求項１乃至４のいずれか１項に記載の光ディスク記録方法において、前記発生位置間隔は、前記光ディスク上における前回の一時停止発生位置から今回の一時停止発生位置までの経過時間であることを特徴とする。
【００１４】
請求項６記載の光ディスク記録方法は、請求項５記載の光ディスク記録方法において、前記所定の間隔は、前記経過時間及び現在の前記データの記録速度に基づいて算出されることを特徴とする。
【００１５】
上記目的を達成するために、請求項７記載の光ディスク記録装置は、光ディスク記録装置のバッファメモリにデータを蓄積するとともに蓄積したデータを光ディスクに記録する光ディスク記録装置において、請求項１乃至７の何れか１項に記載の光ディスク記録方法を実行するように制御する制御部を備えたことを特徴とする。
【００１６】
【発明の実施の形態】
以下、本発明の実施の形態に係る光ディスク記録方法及び装置を図面を参照しながら詳細に説明する。
【００１７】
図１は、本発明の実施の形態に係る光ディスク記録装置の構成を示すブロック図である。
【００１８】
光ディスク装置１は、光ディスク１０を回転するためのスピンドルモータ２４を備えている。このスピンドルモータ２４の回転数は周波数発生器２６によって検出される。光ピックアップ２８は不図示のレーザ光源（半導体レーザ装置）を備え、この半導体レーザ装置からレーザ光を光ディスク１０に照射して情報の記録及び再生を行う。
【００１９】
光ディスク１０から反射してきたレーザ光を受光した光ピックアップ２８は戻り光受光信号（Eight to Fourteen Modulation:ＥＦＭ）をＲＦアンプ３０に供給する。アドレス検出回路３２はＥＦＭ信号からウォブル信号成分を抽出し、さらにこのウォブル信号成分に含まれるＡＴＩＰ（Absolute Time In Pregroove）情報を複合する。ＡＴＩＰ情報には、各位置の時間情報（アドレス情報）が含まれている。
【００２０】
β検出回路３４は、ＥＦＭ信号波形から再生信号品位に関するパラメータとしてβ（アシンメトリ）値を算出する。このエンベロープ検出は、光ディスク１０に情報を記録する本記録に先行してレーザ光の最適なパワーを決定するためのＯＰＣ（Optimum Power Control）を行う際に、不図示のＰＣＡ（Power Calibration Area）に形成されたカウント領域のどこまでＥＦＭ信号が記録されているかを検出するために用いられる。デコーダ３８はＥＦＭ信号をＥＦＭ復調して再生データを得る。
【００２１】
サーボ回路４０はスピンドルモータ２４の回転制御及び光ピックアップ２８のフォーカス、トラッキング、送りの各制御を行う。スピンドルモータ２４の回転制御は、周波数発生器２６で検出される回転数に基づいて行われる。
【００２２】
レーザドライバ４２は光ピックアップ２８内の半導体レーザ装置を駆動する。光パワー制御回路４４はレーザドライバ４２を制御して、記録時（テスト記録時及び本記録時）及び再生時のレーザパワーを制御する。記録データはエンコーダ４６でＥＦＭ変調され、ストラテジ回路４８で時間軸が補正処理されて、レーザドライバ４２のレーザ駆動信号を変調する。この変調されたレーザ駆動信号で半導体レーザ装置を駆動することにより、データの記録が行われる。再生時には、レーザドライバ４２は半導体レーザ装置を所定の再生パワーで駆動する。システム制御回路５０（ＣＰＵ）は、この光ディスク記録装置全体を制御する制御部である。このシステム制御回路５０はサーボ回路４０を制御してデータの記録速度を制御する。
【００２３】
図２は、図１の光ディスク記録装置１における本発明の実施の形態に係る光ディスク記録方法を示すフローチャートである。
【００２４】
光ディスク記録装置１において、パーソナルコンピュータ（以下、ＰＣ）等から転送されて来るデータを光ディスク１０に本記録（以下、記録）する際には、システム制御回路５０は、バッファメモリに転送データを蓄積するとともに蓄積したデータを光ディスク１０に記録するように制御する。
【００２５】
記録が完了するまでの間、バッファメモリに蓄積されているデータの残量を計測する（ステップＳ１００）。この計測を続けながらデータの残量が十分であるか否かを判別する（ステップＳ１０１）。データの残量が十分である場合は、記録を続行する（ステップＳ１０２）。
【００２６】
ステップＳ１０１の判別の結果、バッファメモリに蓄積されているデータの残量が十分でない場合は、ＰＣからのデータ転送が完了しているか否かを判別する（ステップＳ１０３）。ＰＣからのデータ転送が完了している場合は、バッファメモリに蓄積されているデータを全て記録し（ステップＳ１０４）、その後、記録動作を終了する。
【００２７】
ステップＳ１０３の判別の結果、ＰＣからのデータ転送が完了していない場合は、記録を一時停止する（ステップＳ１０５）。この一時停止の時間は、ＰＣから転送されてきたデータがバッファに十分に蓄積されるだけの時間である。システム制御回路５０はこの一時停止発生位置（光ディスク上での位置）を記録する（ステップＳ１０６）とともに一時停止を計数するカウンタに１を加える（ステップＳ１０７）。次に、この１を加えたカウンタの値が所定の数Ｎよりも大きいか否かを判別する（ステップＳ１０８）。カウンタの値が所定の数Ｎよりも大きくない場合は、記録を再開し（ステップＳ１０９）、ステップＳ１００に戻る。
【００２８】
ステップＳ１０８の判別の結果、カウンタの値が所定の数Ｎよりも大きい場合は、前回の一時停止発生位置から今回の一時停止発生位置までの間隔（経過時間）を算出する（ステップＳ１１０）。次に、この経過時間が所定の間隔Ｔよりも小さいか否かを判別する（ステップＳ１１１）。経過時間が所定の間隔Ｔ以上である場合は、記録を再開し（ステップＳ１０９）、ステップＳ１００に戻る。
【００２９】
ステップＳ１１１の判別の結果、経過時間が所定の間隔Ｔよりも小さい場合は、記録速度を１段ダウンする（ステップＳ１１２）とともにカウンタをリセットして（ステップＳ１１３）から記録を再開し（ステップＳ１０９）、ステップＳ１００に戻る。
【００３０】
図２の処理によれば、一時停止の発生回数及び一時停止の光ディスク上における発生位置間隔に基づいてデータの記録速度を下げるので、記録速度が下がった後は一時停止の発生回数が減ってデータの記録の中断時間が短くなる。したがって、図３に示すように、ＰＣ等から転送されて来るデータの総記録時間が短縮される。
【００３１】
ここで、間隔Ｔの算出方法を記載する。使用する各種パラメータを以下のように定義する。
Ｔc  ：直前の一時停止発生位置から最新の一時停止発生位置までの経過時間（ディスク上の絶対時間÷記録速度）
Ｔp  ：一回の記録一時停止時間であり、予め実験的に決めた値、又は、記録が開始された後に実際に発生した一時停止の時間の平均値
Ｔr  ：残っている未記録データを現在の記録速度で記録し続け、かつ、今後、一時停止が起こらなかったと仮定した場合に、未記録データの記録を完了するまでに要する時間
Ｔr-1：未記録データを現在の記録速度から１段下げた記録速度で記録し続け、かつ、今後、一時停止が起こらなかったと仮定した場合に、未記録データの記録を完了するまでに要する時間
Ｘc  ：現在の記録速度
Ｘc-1：現在の記録速度から１段下げた記録速度
Ｖ１  ：１倍速記録のときの転送レート
Ｃa  ：記録すべき全データ量
Ｃc  ：既に記録したデータ量
記録のある時点で、バッファメモリに蓄積したデータの残量不足（蓄積したデータが所定量以下になったとき）に伴う記録の一時停止が発生したとする。もし今後、現在の記録速度で記録を続けても一時停止が発生しない場合は、残りの記録時間がＴrになる。しかし、実際には現時点で一時停止が発生しており、現時点における今後の予測発生頻度は単位時間当り１／Ｔc回になる。
【００３２】
従って、実際に全データの記録完了までにかかる時間は、
（１＋Ｔp／Ｔc）×Ｔr
になる。この時間が、記録速度を１段下げて記録した時間（一時停止は発生しないと仮定する。）よりも大きい場合は、記録速度を１段下げたほうが良いことになる。
【００３３】
従って、記録速度を１段下げる条件は以下のようになる。
（１＋Ｔp／Ｔc）×Ｔr＞Ｔr-1
ここで、
Ｔr  ＝（Ｃa−Ｃc）／（Ｘc×Ｖ１）
Ｔr-1＝（Ｃa−Ｃc）／（Ｘc-1×Ｖ１）
であるから、これらを代入してＴcについて不等式を解くと、
(１＋Ｔp／Ｔc)[(Ｃa−Ｃc)／(Ｘc×Ｖ１)]＞(Ｃa−Ｃc)／(Ｘc-1×Ｖ１)
(１＋Ｔp／Ｔc)／Ｘc＞１／Ｘc-1
(１＋Ｔp／Ｔc)＞Ｘc／Ｘc-1
Ｔp／Ｔc＞（Ｘc−Ｘc-1）／Ｘc-1
ゆえに、
Ｔc＜Ｘc×Ｔp／（Ｘc−Ｘc-1）          …式（１）
が記録速度を１段下げる条件になる。
【００３４】
例えば、１回の一時停止時間を２秒とし、現在の記録速度を８倍速とすると、ある地点で一時停止が発生したときに、記録速度を４倍速に変更すべきか否かの判断は次のようになる。上記の式（１）から
Ｔc＜（８／８−４）×２＝４（ｓｅｃ）
従って、Ｔcが４（ｓｅｃ）よりも短い場合は記録速度を落とした方が良いことになる。
【００３５】
図３は、図２の光ディスク記録方法による記録時間と光ディスクに記録されるデータ量とを示す図である。
【００３６】
図３において、一点鎖線ＤはBuffer Under Run 防止機能を動作させながらデータの記録をする従来の記録方法の場合の記録時間とデータ量とを示している。Ｄのうちｗで示す部分はBuffer Under Run を防止するために一時停止していることを表している。この場合、Buffer Under Run が発生しそうになると一時停止してバッファメモリに転送データを蓄積し、その後、データの記録を再開することが繰り返されている。図中、ｅで示す部分の傾斜、即ち記録速度の大きさ、は初期設定のままで変更されることがなく一定である。
【００３７】
波線Ｅは記録の途中で一時停止することなく、上記初期設定の記録速度でデータの記録を完了した場合の記録時間とデータ量とを示している。この場合、Buffer Under Run 防止機能を動作させたときよりも総記録時間が短いことが明らかである。
【００３８】
実線Ｆは本発明の実施の形態に係る光ディスク記録方法によってデータを記録した場合の記録時間とデータ量とを示している。始めのうちはBuffer Under Run防止機能を動作させた場合と同じ初期設定の記録速度でデータの記録が行われ、一時停止が実行されているが、上記のように一時停止の発生回数が所定の数を超え、かつ、一時停止と前回の一時停止との間の経過時間が所定の間隔Ｔよりも小さいときは、記録速度が１段下げられている。即ち、図面上では実線Ｆの傾斜がｅからこれよりも傾斜の緩いｆになっている。記録速度を１段下げるか否かの判断は、上記のように式（１）による。
【００３９】
記録速度を１段下げた結果、単位時間当たりのデータの記録量は減少するが、一点鎖線Ｄで示した従来の記録方法に比べて一時停止の発生回数が少なくなるので総記録時間は短くなっている。
【００４０】
なお、所定の間隔Ｔよりも短い経過時間の発生した回数が所定回数Ｎに達したときに記録速度を下げるようにしてもよい（図４）。
【００４１】
図４は、図２のフローチャートに示す光ディスク記録方法の変形例を示すフローチャートである。図４のフローチャートのうち、図２のフローチャートと異なるのはステップＳ４０１乃至Ｓ４０４であるので、これらの異なるところを説明する。
【００４２】
この変形例では、システム制御回路５０が一時停止発生位置を記録（ステップＳ１０６）した後、前回の一時停止発生位置から今回の一時停止発生位置までの間隔（経過時間）を算出する（ステップＳ４０１）。次に、この算出した経過時間が所定の間隔Ｔよりも小さいか否かを判別する（ステップＳ４０２）。経過時間が所定の間隔Ｔよりも小さくない場合は、記録を再開し（ステップＳ１０９）、ステップＳ１００に戻る。
【００４３】
ステップＳ４０２の判別の結果、経過時間が所定の間隔Ｔよりも小さい場合は、間隔Ｔよりも短い経過時間の発生した回数を計数するカウンタに１を加える（ステップＳ４０３）。次に、この１を加えたカウンタの値が所定の数Ｎよりも大きいか否かを判別する（ステップＳ４０４）。カウンタの値が所定の数Ｎよりも大きくない場合は、記録を再開し（ステップＳ１０９）、ステップＳ１００に戻る。
【００４４】
ステップＳ４０４の判別の結果、カウンタの値が所定の数Ｎよりも大きい場合は、記録速度を１段ダウンする（ステップＳ１１２）とともにカウンタをリセットして（ステップＳ１１３）から記録を再開し（ステップＳ１０９）、ステップＳ１００に戻る。
【００４５】
図４の処理によれば、所定の間隔Ｔよりも短い経過時間の発生した回数が所定回数Ｎに達するとデータの記録速度を下げるので、記録速度が下がった後は一時停止の発生する間隔が長くなる。すなわち、一時停止の発生頻度が小さくなる。これにより、光ディスクにデータの記録を完了するまでの間に発生する、データの記録中断の総中断時間が短くなる。したがって、ＰＣ等から転送されて来るデータの総記録時間が短縮される。
【００４６】
また、一時停止の発生回数が所定の回数を超えたときあるいは発生位置間隔が所定に間隔よりも短くなったとき場合に記録速度を下げるようにしてもよい（図５）。
【００４７】
図５は、図２のフローチャートに示す光ディスク記録方法の他の変形例を示すフローチャートである。図５のフローチャートのうち、図２のフローチャートと異なるのはステップＳ５０１乃至Ｓ５０４であるので、これらの異なるところを説明する。
【００４８】
この変形例では、システム制御回路５０が一時停止発生位置を記録（ステップＳ１０６）した後、前回の一時停止発生位置から今回の一時停止発生位置までの間隔（経過時間）を算出する（ステップＳ５０１）。次に、この算出した経過時間が所定の間隔Ｔよりも小さいか否かを判別する（ステップＳ５０２）。経過時間が所定の間隔Ｔよりも小さい場合は、記録速度を１段ダウンする（ステップＳ１１２）とともにカウンタをリセットして（ステップＳ１１３）から記録を再開し（ステップＳ１０９）、ステップＳ１００に戻る。
【００４９】
ステップＳ５０２の判別の結果、経過時間が所定の間隔Ｔよりも小さくない場合は、一時停止を計数するカウンタに１を加える（ステップＳ５０３）。次に、この１を加えたカウンタの値が所定の数Ｎよりも大きいか否かを判別する（ステップＳ５０４）。カウンタの値が所定の数Ｎよりも大きくない場合は、記録を再開し（ステップＳ１０９）、ステップＳ１００に戻る。
【００５０】
ステップＳ５０４の判別の結果、カウンタの値が所定の数Ｎよりも大きい場合は、記録速度を１段ダウンする（ステップＳ１１２）とともにカウンタをリセットして（ステップＳ１１３）から記録を再開し（ステップＳ１０９）、ステップＳ１００に戻る。
【００５１】
図５の処理によれば、データの記録速度を下げる時期を一時停止の発生回数及び一時停止の光ディスク上における発生位置間隔に基づいて決定するので、より適切な時期に記録速度を下げることができ、ＰＣ等から転送されて来るデータの総記録時間が短縮される。
【００５２】
【発明の効果】
以上詳細に説明したように、請求項１記載の光ディスク記録方法及び請求項７記載の光ディスク記録装置によれば、一時停止の光ディスク上における発生位置間隔を検出し、検出した発生位置間隔が所定の間隔よりも短くなる度にデータの記録速度を下げるので、適切な時期に記録速度を下げることができ、もって、Buffer Under Run Errorを防止しつつデータの総記録時間を確実に短縮できる。
【００５５】
請求項２記載の光ディスク記録方法によれば、一時停止の発生回数が所定の回数を超えた場合及び発生位置間隔が所定の間隔よりも短くなった場合の何れかの場合が起こる度にデータの記録速度を下げるので、より確実に適切な時期に記録速度を下げることができ、データの総記録時間を一層に短縮できる。
【００５６】
請求項３記載の光ディスク記録方法によれば、発生回数が所定の回数を超えるとともに前記発生位置間隔が所定の間隔よりも短くなる度にデータの記録速度を下げるので、より適切な時期にデータの記録速度を下げることができ、データの総記録時間をより短縮できる。
【００５７】
請求項４記載の光ディスク記録方法によれば、発生間隔が所定の間隔よりも短い場合が規定数を超える度にデータの記録速度を下げるので、さらに適切な時期にデータの記録速度を下げることができ、データの総記録時間をさらに短縮できる。
請求項５記載の光ディスク記録方法によれば、発生位置間隔は、光ディスク上における前回の一時停止発生位置から今回の一時停止発生位置までの経過時間であるので、データの総記録時間をさらに確実に短縮できる。
請求項６記載の光ディスク記録方法によれば、所定の間隔は、経過時間及び現在のデータの記録速度に基づいて算出されるので、データの総記録時間をさらに確実に短縮できる。
【図面の簡単な説明】
【図１】  本発明の実施の形態に係る光ディスク記録装置の構成を示すブロック図である。
【図２】  図１の光ディスク記録装置における本発明の実施の形態に係る光ディスク記録方法を示すフローチャートである。
【図３】  図２の光ディスク記録方法による記録時間と光ディスクに記録されるデータ量とを示す図である。
【図４】  図２のフローチャートに示す光ディスク記録方法の変形例を示すフローチャートである。
【図５】  図２のフローチャートに示す光ディスク記録方法の他の変形例を示すフローチャートである。
【図６】  従来の光ディスク記録方法による記録時間と光ディスクに記録されるデータ量とを示す図である。
【符号の説明】
１  光ディスク記録装置、  １０  バッファメモリ、  ２４  スピンドルモータ、  ２６  周波数発生器、  ２８  光ピックアップ、  ５０  システム制御回路
【図１】
0003900257.tif 000002
【図２】
0003900257.tif 000003
【図３】
0003900257.tif 000004
【図４】
0003900257.tif 000005
【図５】
0003900257.tif 000006
【図６】
0003900257.tif 000007